(57)【要約】【課題】  電子機器等の電力供給を制御することにより、堅牢なセキュリティを確保することが可能な補助記憶装置等を提供する。【解決手段】  切替制御装置１は、電源を供給する電源ラインに接続された第１の端子部４と、グランドに接続された第２の端子部５と、第１及び第２の端子部に着接し、長手方向の一方に導電バー導電部３ａと他方に導電バー絶縁部３ｂとで形成された導電バー３と、外力が加えられるのに応じて、導電バー３を繰り出すスイッチ部２とを備え、導電バー３は、第１及び第２の端子部に各々接した状態において繰り出されることによって、長手方向にスライドし、第１及び第２の端子部と導電バー導電部３ａまたは導電バー絶縁部３ｂの何れか一方と接するように接続が切り替えられることにより、電源を外部装置９に供給または遮断することを特徴とする。【選択図】      図１
2014038760.tif 000002
【特許請求の範囲】
【請求項１】
電源を供給する電源ラインに接続された第１の端子部と、
グランドに接続された第２の端子部と、
前記第１及び前記第２の端子部に着接し、長手方向の一方に導電部と他方に絶縁部とで形成された導電バーと、
外力が加えられるのに応じて、前記導電バーを繰り出すスイッチ部とを備え、
前記導電バーは、
前記第１及び前記第２の端子部に各々接した状態において繰り出されることによって、前記長手方向にスライドし、前記第１及び前記第２の端子部と前記導電部または前記絶縁部の何れか一方と接するように接続が切り替えられることにより、前記電源を外部装置に供給または遮断することを特徴とする切替制御装置。
【請求項２】
前記スイッチ部は、
加えられた外力を伝達するノック部と、
前記ノック部によって伝達された前記外力に応じて前記導電バーを一定の長さで繰り出す導電バー繰出部とを有することを特徴とする請求項１に記載の切替制御装置。
【請求項３】
前記スイッチ部は、
加えられた外力を伝達する信号を出力するノック部と、
前記信号に応じて前記導電バーを一定の長さで繰り出す導電バー繰出部とを別体で有することを特徴とする請求項１に記載の切替制御装置。
【請求項４】
前記導電バーは、
前記導電部と前記絶縁部との構成比率を変更することで２つの前記端子部との接点を切替えるまでの回数を調整することを特徴とする請求項１乃至請求項３の何れかに記載の切替制御装置。
【請求項５】
前記第１及び第２の端子部は、
前記導電バーを介して対向するように着接することを特徴とする請求項１乃至請求項４の何れかに記載の切替制御装置。
【請求項６】
請求項１乃至請求項５の何れかに記載された切替制御装置を含む補助記憶装置。
【請求項７】
前記補助記憶装置は、
ＵＳＢフラッシュメモリーであることを特徴とする請求項６に記載の補助記憶装置。
【請求項８】
第１の端子部に電源を供給する電源ラインを接続し、
第２の端子部にグランドを接続し、
外力が加えられるのに応じて、前記第１及び前記第２の端子部に着接し、長手方向の一方に導電部と他方に絶縁部とで形成された導電バーを繰り出し、
前記第１及び前記第２の端子部に各々接した状態において前記導電バーが繰り出されることによって、前記長手方向にスライドし、前記第１及び前記第２の端子部と前記導電部または前記絶縁部の何れか一方と接するように接続が切り替えられることにより、前記電源を外部装置に供給または遮断することを特徴とする切替制御方法。
【請求項９】
加えられた外力を伝達し、
伝達された前記外力に応じて前記導電バーを一定の長さで繰り出すことを特徴とする請求項８に記載の切替制御方法。
【発明の詳細な説明】
【技術分野】
【０００１】
本発明は、電子機器等の電力供給を制御することによって、例えば、補助記憶装置に対するアクセスを制御する技術分野に関する。
【背景技術】
【０００２】
近年、サーバやパーソナルコンピュータ、携帯電話等の電子機器における記憶媒体として、例えば、ＵＳＢ（Ｕｎｉｖｅｒｓａｌ  Ｓｅｒｉａｌ  Ｂｕｓ：以降、「ＵＳＢ」と称する）フラッシュメモリーやＳＤ（Ｓｅｃｕｒｅ  Ｄｉｇｉｔａｌ：以降、「ＳＤ」と称する）メモリカード等の補助記憶装置が普及している。
【０００３】
これら補助記憶装置は、軽量、且つ小型な形状である。そのため、例えば、ユーザは、補助記憶装置の持ち運びが容易（或いは可搬性、ポータビリティーとも表す）である。
【０００４】
さらに、ユーザは、補助記憶装置における記憶可能な容量（記憶容量）の大容量化に伴い、より多くの情報を保持することができる。
【０００５】
その一方で、補助記憶装置は、軽量、且つ小型な形状のために紛失や盗難等の危険にさらされる。
【０００６】
さらに、例えば、悪意ある第三者は、補助記憶装置に情報を保持することができる。
【０００７】
そのため、メーカは、悪意ある第三者によって顧客の個人情報や機密情報を補助記憶装置に保持されると共に、係る情報を保持した補助記憶装置を外部に持ち出された場合に、不利益を被るだけでなく市場からの信用を失う虞がある。
【０００８】
このような背景から、補助記憶装置におけるセキュリティ対策の手法は、多岐にわたり存在する。
【０００９】
一例として、一般的に知られたセキュリティ対策は、特定のアプリケーション（暗号化ソフト等）を使用してＵＳＢフラッシュメモリーの記憶領域内の情報を暗号化及び複合化する手法が存在する。
【００１０】
さらに、一般的に知られたセキュリティ対策は、ＵＳＢフラッシュメモリーと電子機器とを接続するためのインタフェースであるＵＳＢコネクタ自体の形状を汎用性の無い特殊な形状を有する。
【００１１】
これにより、係るセキュリティ対策は、ＵＳＢフラッシュメモリーと特殊な形状を備える電子機器以外とを物理的に接続できないようにする手法が存在する。
【００１２】
より具体的に、特許文献１に記載された技術は、アクセスが可能な回数を制限することによって不正な読み出しの機会を減らしてセキュリティ性の向上を図る記憶装置及びデータ読出装置に関する技術を開示する。
【００１３】
より具体的に、特許文献１における記憶装置は、予め使用端末記憶領域とデータ記憶領域とに区分けする。記憶装置が接続された際に、特許文献１における読出装置は、区分けされた使用端末記憶領域に空き領域があるか否かを判断する。
【００１４】
次に、読出装置は、使用端末記憶領域に空き領域があると判断した場合に、自ら（自装置）を識別するための固有識別情報を記憶装置に送信する。
【００１５】
記憶装置は、受信した固有識別情報を使用端末記憶領域に記憶した場合に、データ記憶領域へのアクセスを許可する。一方で、記憶装置は、固有識別情報を記憶していない場合に、データ記憶領域へのアクセスを拒否する。
【００１６】
即ち、特許文献１は、記憶装置における使用端末記憶領域の空き領域を調整することによって、データ記憶領域へのアクセスを所定回数に限定することができる。
【００１７】
特許文献２に記載された技術は、メモリ領域へのリード及びライトアクセスを禁止するセキュリティ機能を有する半導体記憶装置に関する技術を開示する。
【００１８】
特許文献２における情報処理機器は、半導体記憶装置が接続された際に、半導体記憶装置と擬似アクセスを行う。次に、半導体記憶装置における照合部は、製造の際に予め指定されたセキュリティコードと擬似アクセスの際に情報処理機器から発生したアドレス信号とを照合する。
【００１９】
半導体記憶装置は、照合した結果、セキュリティコードとアドレス信号とが一致した場合に、制御バスの接続を照合部からメモリ部に切替える。
【００２０】
これにより、情報処理機器は、メモリ部にアクセスが可能となる。即ち、情報処理機器は、半導体記憶装置にアクセスが可能となる。
【００２１】
そのため、特許文献２は、情報処理装置から半導体記憶装置のメモリ領域へのリード及びライトアクセスすることができる。
【００２２】
さらに、半導体記憶装置は、カウント回路を備えることによって擬似アクセスの回数をカウントする。次に、半導体記憶装置は、カウント数が所定の回数を超えた場合に、以降の擬似アクセスを禁止することが可能となる。
【先行技術文献】
【特許文献】
【００２３】
【特許文献１】特開２００８−２４２８３０号公報
【特許文献２】特開平０４−２０５０４３号公報
【発明の概要】
【発明が解決しようとする課題】
【００２４】
しかしながら、上述した暗号化及び複合化する手法及び特許文献１、特許文献２では、補助記憶装置と電子機器とを接続する度にパスワード認証する手間暇が発生する。
【００２５】
さらに、係る暗号化及び複合化する手法及び特許文献１、特許文献２は、パスワード（認証識別子）設定やパスワード管理をユーザに一任している。
【００２６】
そのため、係るセキュリティ対策では、ユーザが各種設定やパスワード（認証識別子）設定を怠った場合やＵＳＢフラッシュメモリーとパスワード（認証識別子）とを同時に盗難に遭った場合に、セキュリティ機能としての役割を果たさない。
【００２７】
その結果、例えば、ＵＳＢフラッシュメモリーが盗難に遭った場合に、悪意ある第三者は、ＵＳＢフラッシュメモリーに保持された各種情報を読み出すことが可能となる。
【００２８】
さらに、例えば、ユーザは、暗号化及び複合化する際、ＵＳＢフラッシュメモリーを接続するところの電子機器にアプリケーション（暗号化ソフト等）をインストールする手間暇が発生する。
【００２９】
また、アプリケーション（暗号化ソフト等）が最新のオペレーティングシステム（Ｏｐｅｒａｔｉｎｇ  Ｓｙｓｔｅｍ：以降、「ＯＳ」と称する）に対応していない場合に、例えば、最新のＯＳがインストールされたパーソナルコンピュータを使用するユーザは、パスワード認証することができず暗号化及び複合化することができない。
【００３０】
さらに、上述した特殊なＵＳＢコネクタの形状を有する手法では、電子機器に対応する特殊なＵＳＢコネクタの形状を備える必要がある。
【００３１】
または、ユーザは、特殊なＵＳＢコネクタの形状を汎用のあるＵＳＢコネクタに変換するための接続ケーブルを用意する必要がある。そのため、係る手法は、補助記憶装置の特長である汎用性と利便性とを著しく低下させる。
【００３２】
さらに、悪意ある第三者は、接続ケーブルを模倣製造することが可能である。その結果、悪意ある第三者は、ＵＳＢフラッシュメモリーから情報を読み出すことが可能となる。
【００３３】
このように、上述した一般的に知られたセキュリティ対策は、例えば、メモリ領域へのアクセスを拒否している場合であっても電力が供給されている。即ち、補助記憶装置は、正常に動作している状態である。
【００３４】
そのため、例えば、悪意ある第三者は、正常に動作するＵＳＢフラッシュメモリーにおけるＵＳＢコントローラを解析することによってパスワードの解析やセキュリティを回避する手段を確立すると共に、その手段によってＵＳＢフラッシュメモリー等の補助記憶装置に保持されたデータを容易に取得できてしまうことが問題である。
【００３５】
本発明の主たる目的は、電子機器等の電力供給を制御することにより、堅牢なセキュリティを確保することが可能な補助記憶装置等を提供することにある。
【課題を解決するための手段】
【００３６】
上記の課題を達成すべく、本発明に係る切替制御装置は、以下の構成を備えることを特徴とする。
【００３７】
即ち、本発明に係る切替制御装置は、
電源を供給する電源ラインに接続された第１の端子部と、グランドに接続された第２の端子部と、前記第１及び前記第２の端子部に着接し、長手方向の一方に導電部と他方に絶縁部とで形成された導電バーと、外力が加えられるのに応じて、前記導電バーを繰り出すスイッチ部とを備え、前記導電バーは、前記第１及び前記第２の端子部に各々接した状態において繰り出されることによって、前記長手方向にスライドし、前記第１及び前記第２の端子部と前記導電部または前記絶縁部の何れか一方と接するように接続が切り替えられることにより、前記電源を外部装置に供給または遮断することを特徴とする。
【００３８】
また、同目的を達成すべく、本発明に係る切替制御方法は、以下の構成を備えることを特徴とする。
【００３９】
即ち、本発明に係る切替制御方法は、
第１の端子部に電源を供給する電源ラインを接続し、第２の端子部にグランドを接続し、外力が加えられるのに応じて、前記第１及び前記第２の端子部に着接し、長手方向の一方に導電部と他方に絶縁部とで形成された導電バーを繰り出し、前記第１及び前記第２の端子部に各々接した状態において前記導電バーが繰り出されることによって、前記長手方向にスライドし、前記第１及び前記第２の端子部と前記導電部または前記絶縁部の何れか一方と接するように接続が切り替えられることにより、前記電源を外部装置に供給または遮断することを特徴とする。
【発明の効果】
【００４０】
本発明によれば、電子機器等の電力供給を制御することにより、堅牢なセキュリティを確保することが可能な補助記憶装置等を提供することができる。
【図面の簡単な説明】
【００４１】
【図１】本発明の第１の実施形態における切替制御装置の構成を示す実体配線図である。
【図２】本発明の第１の実施形態における第１の端子部及び第２の端子部の構成を示す断面図である。
【図３】本発明の第１の実施形態におけるノック部に外力が加えられた際の導電コネクタと導電バー絶縁部とが接した状態を例示する実体配線図である。
【図４】本発明の第１の実施形態におけるノック部に外力が加えられた際の導電コネクタと導電バー導電部とが接した状態を例示する実体配線図である。
【図５】本発明の第１の実施形態における切替制御装置が行う動作を示すフローチャートである。
【図６】本発明の第１の実施形態の変形例における切替制御装置の構成を示す実体配線図である。
【図７】本発明の第２の実施形態における補助記憶装置に切替制御装置を適用したＵＳＢコネクタを模式的に例示する斜視図である。
【図８】本発明の第２の実施形態における補助記憶装置に切替制御装置を適用した際の回路の構成を例示する回路図である。
【図９】本発明の第２の実施形態の変形例における補助記憶装置の構成を示す２面図である。
【図１０】本発明の第２の実施形態の変形例における補助記憶装置をボックス型コネクタに接続するところの状態を例示する斜視図である。
【発明を実施するための形態】
【００４２】
以下、本発明の実施形態について図面を参照して詳細に説明する。
【００４３】
＜第１の実施形態＞
図１は、本発明の第１の実施形態における切替制御装置１の構成を示す実体配線図である。
【００４４】
図１において、切替制御装置１は、スイッチ部２と、導電バー３と、第１の端子部４と、第２の端子部５と、グランド（Ｇｒｏｕｎｄ：以降、「ＧＮＤ」と称する）６とによって構成されている。
【００４５】
より具体的に、スイッチ部２は、ノック部７、導電バー繰出部８を有する。
【００４６】
ノック部７は、図１に示すように矢印Ａ方向（紙面左方向から紙面右方向）に加えられた外力を導電バー繰出部８に伝達する機構である。
【００４７】
より具体的に、例えば、ノック部７は、矢印Ａ方向（紙面左方向から紙面右方向）に外力を加えられた際に、スプリング等の弾性部材（不図示）の反発力によって元の位置（外力が加えられる前の位置）に戻る機構を有する。但し、本実施形態を例に説明する本発明は、これらに限定されない（以下の実施形態においても同様）。
【００４８】
次に、導電バー繰出部８は、ノック部７によって伝達された外力に応じて導電バー３を一方向に繰り出す機構（不図示）を有する。即ち、導電バー繰出部８は、ノック部７によって伝達された外力に応じて導電バー３を図１に示す矢印Ａ方向（紙面左方向から紙面右方向）に一定の長さ繰り出す。
【００４９】
より具体的に、一例として、導電バー繰出部８は、内部に導電バー３を挟み込むチャック（不図示）を有する。チャックは、ノック部７に外力が加えられることに応じて所定位置まで押し出される。押し出される際に、チャックは、導電バー３を繰り出す。但し、本実施形態を例に説明する本発明は、これらに限定されない（以下の実施形態においても同様）。
【００５０】
尚、ノック部７に外力が加えられることに応じて導電バー繰出部８が導電バー３を繰り出す技術自体は、現在では一般的な技術を採用することができるので、本実施形態における詳細な説明は省略する（以下の実施形態においても同様）。
【００５１】
導電バー３は、長手方向の一方を導電バー導電部３ａと他方を導電バー絶縁部３ｂとを有する。さらに、導電バー３は、紙面左側に導電バー導電部３ａと紙面右側に導電バー絶縁部３ｂとを有する。
【００５２】
尚、以下の説明において、本実施形態では、説明の便宜上、導電バー３は、導電バー導電部３ａと導電バー絶縁部３ｂとによって構成される。導電バー３は、導電体で形成されている部位を導電バー導電部３ａと称する。また、導電バー３は、絶縁体で形成されている部位を導電バー絶縁部３ｂと称する。さらに、導電バー導電部３ａと導電バー絶縁部３ｂとを総称して導電バー３と称する（以下の実施形態においても同様）。
【００５３】
導電バー３は、紙面上下方向に対向する第１の端子部４と第２の端子部５との間において着接されている。また、導電バー３は、第１の端子部４と第２の端子部５との間において紙面左右方向にスライドする（第１の端子部４、第２の端子部５については、本実施形態において後述する）。
【００５４】
尚、本実施形態を例に説明する本発明において、説明の便宜上から、第１の端子部４と第２の端子部５とは、紙面上下方向に対向する構成を例に説明した。しかしながら本発明は、係る構成には限定されず、第１の端子部４と第２の端子部５とは、導電バー３と接すると共に、導通することが可能であれば紙面上下方向に近接していてもよい。但し、本実施形態を例に説明する本発明は、これらに限定されない（以下の実施形態においても同様）。
【００５５】
本実施形態を例に説明する本発明において、説明の便宜上から、導電バー３は、紙面左側に導電バー導電部３ａと紙面右側に導電バー絶縁部３ｂとを有する構成について説明した。しかしながら本発明は、係る構成には限定されず、導電バー３は、紙面左側に導電バー絶縁部３ｂと紙面右側に導電バー導電部３ａとを有してもよい（以下の実施形態においても同様）。
【００５６】
より具体的に、導電バー導電部３ａは、電流を通すことが可能な導電体で形成されている。例えば、導電バー導電部３ａは、金や鉄等の一般的に知られた導電体を採用することができる。但し、本実施形態を例に説明する本発明は、これらに限定されない（以下の実施形態においても同様）。
【００５７】
さらに、導電バー導電部３ａは、第１の端子部４と第２の端子部５と接することによって第１の端子部４から第２の端子部５に電流を通すことができる。
【００５８】
即ち、例えば、導電バー導電部３ａが第１の端子部４と第２の端子部５と接している場合に、図１における出力側から第１の端子部４に入力した電流は、導電バー導電部３ａを経由して第２の端子部５に流れる。
【００５９】
次に、導電バー絶縁部３ｂは、電流を通すことができない絶縁体で形成されている。例えば、導電バー絶縁部３ｂは、プラスチック等の一般的に知られた絶縁体を採用することができる。但し、本実施形態を例に説明する本発明は、これらに限定されない（以下の実施形態においても同様）。
【００６０】
また、導電バー絶縁部３ｂは、導電バー導電部３ａを形成する際に使用した導電体を絶縁体で被覆するように形成してもよい。但し、本実施形態を例に説明する本発明は、これらに限定されない（以下の実施形態においても同様）。
【００６１】
導電バー絶縁部３ｂは、第１の端子部４と第２の端子部５と接する場合であっても絶縁体であるために電流を通すことができない。
【００６２】
即ち、例えば、導電バー絶縁部３ｂが第１の端子部４と第２の端子部５と接している場合に、図１における出力側から出力された電流は、図１における入力側に流れる。そのため、例えば、図１における入力側に接続された外部装置９は、電源が供給されるため正常に動作することができる。
【００６３】
ここで、外部装置９は、一般的に知られた電子機器である。外部装置９は、電源を供給する電源ラインに接続されている。
【００６４】
尚、本実施形態に係る外部装置９自体は、本実施形態の特徴ではないので、具体的動作及び詳細な構成については省略する（以下の実施形態においても同様）。
【００６５】
これは、導電バー絶縁部３ｂは、絶縁体であるために第１の端子部４と第２の端子部５とが通電しないためである。
【００６６】
本実施形態を例に説明する本発明において、説明の便宜上から、スイッチ部２は、ノック部７と導電バー繰出部８とを適用する構成を例に説明した。しかしながら本発明は、係る構成には限定されず、スイッチ部２は、ノック部７と導電バー繰出部８とを別体として構成してもよい。
【００６７】
より具体的に、一例として、ノック部７を別体として構成した場合に、ノック部７は、外力が加えられる度に信号を導電バー繰出部８に出力する。導電バー繰出部８は、受信した信号に応じて導電バー３を繰り出す（詳細については、第２の実施形態の変形例で後述する）。
【００６８】
このように、切替制御装置１は、ノック部７と導電バー繰出部８とを別体で構成することによって切替制御装置１を設置するエリアの限られた電子機器等により好適に設置することができる。
【００６９】
図２は、本発明の第１の実施形態における第１の端子部４及び第２の端子部５の構成を示す断面図である。
【００７０】
図２において、第１の端子部４及び第２の端子部５は、絶縁体１０と接触部１１とを有する。接触部１１は、導電体で形成されている。また、接触部１１は、導電バー導電部３ａと接することで通電する。但し、本実施形態を例に説明する本発明は、これらに限定されない（以下の実施形態においても同様）。
【００７１】
図１において、第１の端子部４は、電源を供給する電源ラインに接続されている。また、第２の端子部５は、ＧＮＤ６に接続されている。
【００７２】
尚、上述した実施形態では、説明の便宜上、第１の端子部４には、電源を供給するための電源ラインが接続されており、第２の端子部５には、ＧＮＤ６が接続されている構成を例に説明した。しかしながら本発明は、係る構成には限定されず、第１の端子部４には、ＧＮＤ６が接続し、第２の端子部５には、電源を供給するための電源ラインが接続されていてもよい（以下の実施形態においても同様）。
【００７３】
次に、本発明の第１の実施形態に係るより具体的な切替制御装置１の動作について説明する。
【００７４】
以下の説明において、一例として、切替制御装置１は、スイッチ部２におけるノック部７が外力を加えられた際の動作について、詳細に説明する。
【００７５】
ここで、ノック部７は、既に１度（１回目）の外力が加えられており、再度（２回目）の外力が加えられることとする。
【００７６】
尚、説明の便宜上、上述した構成を例に説明するが、本発明は、これに限定されない（以下の実施形態においても同様）。
【００７７】
図３は、本発明の第１の実施形態におけるノック部７に外力が加えられた際の導電コネクタ（第１の端子部４、第２の端子部５）と導電バー絶縁部３ｂとが接した状態を例示する実体配線図である。
【００７８】
図３において、切替制御装置１は、ノック部７に外力が加えられることによって導電バー３が繰り出された状態を示す。
【００７９】
図３に示す第１の端子部４と第２の端子部５とは、導電バー絶縁部３ｂと接している。
【００８０】
そのため、図３において出力側から出力された電流は、入力側に流れる。即ち、例えば、入力側に接続された外部装置９は、電源が供給されるため正常に動作する。
【００８１】
図４は、本発明の第１の実施形態におけるノック部７に外力が加えられた際の導電コネクタ（第１の端子部４、第２の端子部５）と導電バー導電部３ａとが接した状態を例示する実体配線図である。
【００８２】
図４において、切替制御装置１は、再度（２回目）ノック部７に外力が加えられることによって導電バー３が繰り出された状態を示す。
【００８３】
図４に示す第１の端子部４と第２の端子部５とは、導電バー導電部３ａと接している。
【００８４】
図５は、本発明の第１の実施形態における切替制御装置１が行う動作を示すフローチャートである。係るフローチャートに沿って再度（２回目）ノック部７に外力が加えられた際の切替制御装置１の動作手順を説明する。
【００８５】
説明の便宜上、上述した構成を例に説明するが、本発明は、これに限定されない（以下の実施形態においても同様）。
【００８６】
ステップＳ１における「ＹＥＳ」：
切替制御装置１におけるノック部７は、外力を加えられた場合に、加えられた外力を導電バー繰出部８に伝達する。
【００８７】
ステップＳ１における「ＮＯ」：
ノック部７は、外力を加えられていない場合に、処理を終了する。
【００８８】
ステップＳ２：
次に、導電バー繰出部８は、ノック部７から伝達された外力に応じて導電バー３を繰り出す。
【００８９】
より具体的に、導電バー繰出部８は、伝達した外力に応じて一方向に導電バー３を繰り出す。即ち、導電バー３は、導電バー繰出部８から繰り出されることによって第１の端子部４と第２の端子部５との間を図１に示す矢印Ａ方向（紙面左方向から紙面右方向）にスライドする。
【００９０】
そのため、導電バー３と第１の端子部４と第２の端子部５との接点（接続）は、導電バー３がスライドすることによって切り替えられる。
【００９１】
ステップＳ３における「ＮＯ」：
導電バー絶縁部３ｂが第１の端子部４と第２の端子部５と接している場合に、切替制御装置１は、処理を終了する。
【００９２】
即ち、出力側から出力された電流は、入力側に流れる。
【００９３】
ステップＳ３における「ＹＥＳ」：
導電バー導電部３ａが第１の端子部４と第２の端子部５と接している場合に、処理をステップＳ４に進める。
【００９４】
ステップＳ４：
出力側から第１の端子部４に入力した電流は、導電バー導電部３ａを経由して第２の端子部５に流れる。
【００９５】
即ち、切替制御装置１は、出力された電流をＧＮＤ６に流れるように切り替える。
【００９６】
これにより、例えば、入力側に接続されていた外部装置９は、電源の供給が遮断され（途絶え）るために動作することができなくなる。
【００９７】
尚、上述した実施形態では、説明の便宜上、切替制御装置１は、入力側に接続されていた外部装置９における電源の供給を遮断した場合について説明した。しかしながら本発明は、この場合には限定されず、切替制御装置１は、外部装置９内（自装置）に設けることによって自装置における電源の供給を遮断してもよい（以下の実施形態においても同様）。
【００９８】
尚、上述した実施形態では、説明の便宜上、切替制御装置１は、ノック部７が２度（２回目）の外力を加えられた際に、導電バー導電部３ａと第１の端子部４と第２の端子部５とが接する構成を例に説明した。しかしながら本発明は、係る構成には限定されず、ノック部７が外力を加えられる回数は、ユーザの使用環境に応じて任意に決めることができる。
【００９９】
即ち、切替制御装置１は、導電バー３（導電バー導電部３ａ、導電バー絶縁部３ｂ）と端子部（第１の端子部４、第２の端子部５）との接点を切り替えるまでの回数を任意に設定することができる。
【０１００】
その場合に、係る回数は、導電バー３の長手方向の長さや導電バー３における導電バー導電部３ａと導電バー絶縁部３ｂとの構成比率を変更することで係る回数を容易に調整することが可能である。
【０１０１】
より具体的に、一例として、導電バー繰出部８は、導電バー３を一方向、且つ一定の長さ繰り出す。そのため、切替制御装置１は、導電バー絶縁部３ｂを長くすることによって導電バー導電部３ａと端子部（第１の端子部４、第２の端子部５）とが接するまでの係る回数を増やすことができる（以下の実施形態においても同様）。
【０１０２】
このように本実施の形態に係る切替制御装置１によれば、電子機器等の電力供給を制御することができる。その理由は、スイッチ部２に加えられた外力の回数によって導電バー３と第１の端子部４と第２の端子部５との接点を切り替えることができるからである。
【０１０３】
即ち、導電バー導電部３ａと第１の端子部４と第２の端子部５とが接する場合に、切替制御装置１は、外部装置９の電源供給を遮断することができる。これにより、例えば、外部装置９は、電源の供給を遮断されるため、ハードウェア的に動作することができなくなる。一方で、導電バー絶縁部３ｂと第１の端子部４と第２の端子部５とが接する場合に、切替制御装置１は、外部装置９に電源を供給することができる。
【０１０４】
＜第１の実施形態の変形例＞
次に、上述した本発明の第１の実施形態に係る切替制御装置１を基本とする第１の実施形態の変形例について説明する。以下の説明においては、本実施形態に係る特徴的な部分を中心に説明する。その際、上述した各実施形態と同様な構成については、同一の参照番号を付すことにより、重複する説明は省略する。
【０１０５】
図６は、本発明の第１の実施形態の変形例における切替制御装置１ａの構成を示す実体配線図である。
【０１０６】
図６において、第１の端子部４は、ＧＮＤ６に接続されている。また、第２の端子部５は、電源を供給する電源ラインに接続されている。
【０１０７】
次に、導電バー３は、紙面左側に導電バー絶縁部３ｂと紙面右側に導電バー導電部３ａとを有する。
【０１０８】
これにより、例えば、導電バー３と端子部（第１の端子部４と第２の端子部５）との接点は、ノック部７に外力が加えられると共に、導電バー３が繰り出されることによって、導電バー導電部３ａから導電バー絶縁部３ｂへと切り替わる。
【０１０９】
即ち、例えば、ノック部７が所定回数の外力が加えられることによって、端子部（第１の端子部４と第２の端子部５）と導電バー３との接点は、導電バー導電部３ａから導電バー絶縁部３ｂへと切り替わる。このため、外部装置９は、電源の供給が遮断されるために動作することができなくなる。
【０１１０】
このように本実施の形態に係る切替制御装置１ａによれば、第１の実施形態において説明した効果を享受できる。その理由は、第１の端子部４は、ＧＮＤ６に接続し、第２の端子部５は、電源を供給する電源ラインに接続されている。そのため、端子部と導電バー３との接点は、導電バー３が第１の端子部４と第２の端子部５との間をスライドすることによって導電バー導電部３ａから導電バー絶縁部３ｂへと切り替わるからである。即ち、外部装置９は、電源が供給される状態から電源が遮断される状態に切り替わるからである。
【０１１１】
＜第２の実施形態＞
次に、上述した本発明の第１の実施形態に係る切替制御装置１を基本とする第２の実施形態について説明する。以下の説明においては、本実施形態に係る特徴的な部分を中心に説明する。その際、上述した各実施形態と同様な構成については、同一の参照番号を付すことにより、重複する説明は省略する。
【０１１２】
図７は、本発明の第２の実施形態における補助記憶装置２０に切替制御装置１を適用したＵＳＢコネクタを模式的に例示する斜視図である。
【０１１３】
ここで、補助記憶装置２０は、一般的に知られたＵＳＢフラッシュメモリーに第１の実施形態において説明した切替制御装置１を適用した場合の動作について説明する。
【０１１４】
尚、本実施形態に係るＵＳＢフラッシュメモリーは、現在では一般的に知られている技術を採用することができるので本実施例における説明は省略する（以下の実施形態においても同様）。
【０１１５】
図７において、例えば、補助記憶装置２０における切替制御装置１は、ＵＳＢコネクタ（オス側）２１のハウジング内部の壁面に設けられている。
【０１１６】
また、図７において、ノック部７は、ＵＳＢコネクタ（オス側）２１のハウジング内部の壁面に突出する態様で設けられている。切替制御装置１は、ＵＳＢコネクタ（オス側）２１の内部に設けられている。
【０１１７】
切替制御装置１は、補助記憶装置２０がパーソナルコンピュータ等の電子機器に設けられたＵＳＢコネクタ（メス側）２２に接続された際、ＵＳＢコネクタ２２のハウジング内部の端子部側面と切替制御装置１におけるノック部７とが当接するように設けられている。
【０１１８】
このため、補助記憶装置２０におけるＵＳＢコネクタ２１がＵＳＢコネクタ２２に接続された際に、ＵＳＢコネクタ２２のハウジング内部の端子部側面とＵＳＢコネクタ２１のハウジング内部に設けられたノック部７とが当接することで加えられた外力に応じて、導電バー繰出部８は、導電バー３を繰り出す。
【０１１９】
尚、上述した実施形態では、説明の便宜上、切替制御装置１は、ＵＳＢコネクタ２１のハウジング内部の壁面に設ける構成を例に説明した。しかしながら本発明は、係る構成に限定されず、切替制御装置１は、ＵＳＢコネクタ２２と当接することによってノック部７に外力が加えられる位置であればよい。
【０１２０】
その場合に、切替制御装置１は、ノック部７だけが突出する態様でＵＳＢコネクタ２１のハウジング内部の壁面に設けてもよいし、切替制御装置１をＵＳＢコネクタ２１のハウジング内部の側面に設けてもよい（以下の実施形態においても同様）。
【０１２１】
図８は、本発明の第２の実施形態における補助記憶装置２０に切替制御装置１を適用した際の回路の構成を例示する回路図である。
【０１２２】
ここで、説明の便宜上、図８は、一般的に知られたＵＳＢデバイスの回路構成からＶＣＣバス周辺の回路構成を抜粋した回路構成図である。
【０１２３】
図８において、ＵＳＢコネクタ２２は、パーソナルコンピュータやサーバ等の電子機器に設けられたＵＳＢコネクタ（メス側）の回路構成を示す。
【０１２４】
より具体的に、図８においてＵＳＢコネクタ２２は、下流のポートに対して電源の供給を行うための端子ピンであるＶＢＵＳと、信号を送受信するための端子ピンである−（マイナス）ＤＡＴＡ、＋（プラス）ＤＡＴＡと、ＧＮＤとを有する。
【０１２５】
また、補助記憶装置２０は、ＶＢＵＳを経由して出力された電源の供給を受けるための端子ピンであるＶＣＣと、信号を送受信するための端子ピンである−（マイナス）Ｄ、＋（プラス）Ｄと、ＧＮＤとを有する。
【０１２６】
尚、ＵＳＢコネクタ２２と補助記憶装置２０とが採用するＵＳＢデバイスの回路構成については、一般的に知られた技術を採用することができるので、本実施形態における詳細な説明は省略する（以下の実施形態においても同様）。
【０１２７】
さらに、図８において、補助記憶装置２０は、上述したＶＢＵＳとＶＣＣとの間に切替制御装置１を有する。
【０１２８】
次に、本発明の第１の実施例におけるより具体的な補助記憶装置２０の動作について説明する。
【０１２９】
以下の説明において、一例として、補助記憶装置２０は、悪意ある第三者によって盗難に遭った場合に、盗難された補助記憶装置２０を悪意ある第三者が所有するパーソナルコンピュータ等の電子機器が備えるＵＳＢコネクタ２２に接続された際の動作について、詳細に説明する。
【０１３０】
ここで、ノック部７は、既に１度（１回目）の外力が加えられており、悪意ある第三者がパーソナルコンピュータに接続することで再度（２回目）の外力が加えられることとする。
【０１３１】
即ち、補助記憶装置２０は、既に１度アクセスされており、悪意ある第三者がパーソナルコンピュータに接続することで再度（２回目）アクセスされることとする。
【０１３２】
尚、説明の便宜上、上述した構成を例に説明するが、本発明は、これに限定されない（以下の実施形態においても同様）。
【０１３３】
補助記憶装置２０は、悪意ある第三者によってＵＳＢコネクタ２２に接続された際に、電源の供給を遮断する。これにより、悪意ある第三者は、補助記憶装置２０から情報を読み出すことができない。
【０１３４】
また、補助記憶装置２０は、電源が供給されていないために正常に動作していない。そのため、悪意ある第三者は、補助記憶装置２０におけるＵＳＢコントローラやパスワード等を解析することができない。
【０１３５】
より具体的に、ノック部７は、ＵＳＢコネクタ２２のハウジング内部の端子部側面とＵＳＢコネクタ２１のハウジング内部に設けられたノック部７とが当接することで加えられた外力を導電バー繰出部８に伝達する。
【０１３６】
次に、導電バー繰出部８は、伝達された外力に応じて導電バー３を繰り出す。
【０１３７】
導電バー３は、導電バー繰出部８から繰り出されることによって第１の端子部４と第２の端子部５との間をスライドする。
【０１３８】
そのため、導電バー３と第１の端子部４と第２の端子部５との接点は、導電バー３がスライドすることによって切り替えられる。
【０１３９】
ここでは、導電バー導電部３ａが第１の端子部４と第２の端子部５と接しているために、ＶＢＵＳから第１の端子部４に入力した電流は、導電バー導電部３ａを経由して第２の端子部５に流れる。
【０１４０】
即ち、切替制御装置１は、ＶＢＵＳから出力された電流をＧＮＤ６に流れるように切り替える。
【０１４１】
これにより、例えば、補助記憶装置２０は、電源の供給が遮断する（途絶える）ために動作することができない。
【０１４２】
より具体的に、一例として、補助記憶装置２０は、ＶＣＣへの通電を阻害されることで補助記憶装置２０が有する不図示のＵＳＢコントローラが動作に必要な電源を得ることができず動作することができない。
【０１４３】
尚、上述した実施形態は、説明の便宜上から、補助記憶装置２０におけるＵＳＢコネクタ形状は、一般的に知られたＳｔａｎｄａｒｄ＿Ａに適用する構成を例に説明した。しかしながら本発明は、係る構成に限定されず、補助記憶装置２０におけるＵＳＢコネクタ形状は、Ｓｔａｎｄａｒｄ＿Ｂに適用してもよい。但し、本実施形態を例に説明する本発明は、これらに限定されない（以下の実施形態においても同様）。
【０１４４】
このように本実施の形態に係る補助記憶装置２０によれば、第１の実施形態において説明した効果を享受できると共に、さらに、電子機器等の電力供給を制御することにより、堅牢なセキュリティを確保することができる。その理由は、以下に述べる通りである。
【０１４５】
即ち、補助記憶装置２０は、第１の実施形態において説明した切替制御装置１を有する。そのため、補助記憶装置２０は、設定したアクセス回数以上のアクセスがあった場合に、電源の供給を遮断することによってハードウェア的に補助記憶装置２０の動作を無効にすることができるからである。即ち、補助記憶装置２０は、不正なアクセスを拒絶することができる。
【０１４６】
さらに、補助記憶装置２０は、汎用のあるＵＳＢコネクタ形状を有するために特殊な接続ケーブルや特殊なコネクタ形状を備える必要がない。そのため、補助記憶装置２０は、補助記憶装置の特長である汎用性と利便性とを低下させることがない。
【０１４７】
さらに、補助記憶装置２０は、アプリケーション（暗号化ソフト等）をインストールする手間暇と接続の度にパスワードを入力する手間暇とを省くことができる。また、最新のＯＳがインストールされたパーソナルコンピュータにおいてもユーザは、意識することなく使用することができる。その理由は、補助記憶装置２０は、ＵＳＢコントローラ等のハードウェアの電源の供給を遮断する仕組みを採用しているからである。
【０１４８】
＜第２の実施形態の変形例＞
次に、上述した本発明の第１の実施形態に係る切替制御装置１を基本とする第２の実施形態の変形例について説明する。以下の説明においては、本実施形態に係る特徴的な部分を中心に説明する。その際、上述した各実施形態と同様な構成については、同一の参照番号を付すことにより、重複する説明は省略する。
【０１４９】
図９は、本発明の第２の実施形態の変形例における補助記憶装置３０の構成を示す２面図である。
【０１５０】
ここでは、補助記憶装置３０は、一般的に知られたボックス型コネクタ（角型コネクタとも表す）をインタフェースとして有するＵＳＢフラッシュメモリーに第１の実施形態において説明した切替制御装置１を適用した場合の動作について説明する。
【０１５１】
尚、本実施形態に係るＵＳＢフラッシュメモリー自体は、本実施形態の特徴ではないので、具体的動作及び詳細な構成については省略する（以下の実施形態においても同様）。
【０１５２】
ここで、ボックス型コネクタ３２は、電子機器等の電子基板３３に搭載されたボックス型コネクタ（オス側）とする。一方、ボックス型コネクタ３１は、補助記憶装置３０に搭載されたボックス型コネクタ（メス側）とする。
【０１５３】
図９において、一例として、補助記憶装置３０における切替制御装置１は、ボックス型コネクタ３１のハウジングの上面（紙面上方向）にノック部７と補助記憶装置３０の電子基板の側面に切替制御装置１とが設けられている。
【０１５４】
より具体的に、係る切替制御装置１は、ノック部７を別体として構成する。即ち、スイッチ部２は、ノック部７と導電バー繰出部８とを別体として構成する。
【０１５５】
より具体的に、例えば、スイッチ部２を構成するノック部７と導電バー繰出部８は、外力が加えられたことを示す信号を送受信可能な信号線を有する。そのため、ノック部７は、外力が加えられたことを示す信号を導電バー繰出部８に出力することができる。
【０１５６】
また、ノック部７は、ボックス型コネクタ３１のハウジングの上面（紙面上方向）の未使用エリアがある場合に、ボックス型コネクタ３１のハウジングの上面（紙面上方向）の未使用エリアに設置すればよい。但し、本実施形態を例に説明する本発明は、これらに限定されない（以下の実施形態においても同様）。
【０１５７】
さらに、切替制御装置１は、補助記憶装置３０の電子基板の側面に設けられている。
【０１５８】
より具体的に、例えば、切替制御装置１は、補助記憶装置３０を構成する電子基板の未使用エリアに設置すればよい。即ち、切替制御装置１は、ノック部７から信号を受信することが可能であれば設置場所を限定されない。但し、本実施形態を例に説明する本発明は、これらに限定されない（以下の実施形態においても同様）。
【０１５９】
図１０は、本発明の第２の実施形態の変形例における補助記憶装置３０をボックス型コネクタ３２に接続するところの状態を例示する斜視図である。
【０１６０】
図１０において、例えば、ユーザは、補助記憶装置３０を電子基板３３に接続する。
【０１６１】
即ち、補助記憶装置３０におけるボックス型コネクタ３１を電子基板３３に設けられたボックス型コネクタ３２に接続した際に、図９に示すボックス型コネクタ３１のハウジングの上面（紙面上方向）に設置されたノック部７は、ボックス型コネクタ３２の底面と当接することによって外力が加えられる。
【０１６２】
次に、ノック部７は、当接したことを示す信号を導電バー繰出部８に出力する。即ち、ノック部７は、外力が加えられたことを伝達するための信号を導電バー繰出部８に出力する。
【０１６３】
導電バー繰出部８は、ノック部７からの信号を受信するのに応じて導電バー３を繰り出す。
【０１６４】
このように、例えば、サーバ等の機密情報を扱う電子機器では、補助記憶装置３０をサーバに挿入または挿抜を頻繁に行わない。
【０１６５】
そのため、補助記憶装置３０における切替制御装置１は、２回目にアクセスした場合に、電源の供給を遮断することによって補助記憶装置３０に保持された情報を読み出すことを阻止することができる。但し、本実施形態を例に説明する本発明は、これらに限定されない（以下の実施形態においても同様）。
【０１６６】
このように本実施の形態に係る補助記憶装置３０によれば、上述した各実施形態において説明した効果を享受できると共に、さらに、ノック部７を別体とすることで、切替制御装置１を設置するエリアの限られた電子機器等により好適に設置することができる。
【０１６７】
尚、本発明は、上述した各実施形態には限定されない、例えば、本発明は、ＳＤメモリーカード等の小型カードメモリに適用することができる。その場合に、ＳＤメモリカードが有する各種コントローラに電源を供給するところのバスと切替制御装置１とを接続することで容易に実現することができる。
【産業上の利用可能性】
【０１６８】
本発明は、上述した各実施形態には限定されない。本発明は、外部から電源を供給する機能を備える各種の電子機器に適用することができる。例えば、本発明は、補助記憶装置、ＵＳＢインタフェースを有する電子機器に適用して好適である。
【符号の説明】
【０１６９】
１    切替制御装置
１ａ    切替制御装置
２    スイッチ部
３    導電バー
３ａ    導電バー導電部
３ｂ    導電バー絶縁部
４    第１の端子部
５    第２の端子部
６    グランド
７    ノック部
８    導電バー繰出部
９    外部装置
１０    絶縁体
１１    接触部
２０    補助記憶装置
２１    ＵＳＢコネクタ
２２    ＵＳＢコネクタ
３０    補助記憶装置
３１    ボックス型コネクタ
３２    ボックス型コネクタ
３３    電子基板
【図１】
2014038760.tif 000003
【図２】
2014038760.tif 000004
【図３】
2014038760.tif 000005
【図４】
2014038760.tif 000006
【図５】
2014038760.tif 000007
【図６】
2014038760.tif 000008
【図７】
2014038760.tif 000009
【図８】
2014038760.tif 000010
【図９】
2014038760.tif 000011
【図１０】
2014038760.tif 000012